(57)【要約】【課題】光検出部を使用してユーザの操作を検出する場合において、光検出部から遠い箇所でもユーザの操作の検出結果に問題が生じにくい受付装置等を提供できる。【解決手段】発光部から発した光が被検出体により反射される際に生じる反射光を受光部で受光することで被検出体の位置を検出する光検出部３１０と、光検出部３１０により近い位置に設けられ、光検出部３１０により被検出体の動きを検出するための第１の検出領域Ｒ１と、光検出部３１０に対し第１の検出領域Ｒ１より遠い位置に設けられ、光検出部３１０により被検出体の有無を検出するための第２の検出領域Ｒ２と、を備える受付装置。【選択図】図３
2018180709.tif 000002
【特許請求の範囲】
【請求項１】
発光部から発した光が被検出体により反射される際に生じる反射光を受光部で受光することで被検出体の位置を検出する光検出部と、
前記光検出部により近い位置に設けられ、当該光検出部により被検出体の動きを検出するための第１の検出領域と、
前記光検出部に対し前記第１の検出領域より遠い位置に設けられ、当該光検出部により被検出体の有無を検出するための第２の検出領域と、
を備える受付装置。
【請求項２】
画像を表示する表示部をさらに備え、
前記第１の検出領域は、前記表示部の領域を含むことを特徴とする請求項１に記載の受付装置。
【請求項３】
前記光検出部は、前記第１の検出領域において、前記表示部に表示される画像に対するユーザの操作を検出することを特徴とする請求項２に記載の受付装置。
【請求項４】
前記光検出部は、前記第１の検出領域において、前記表示部に対するユーザの操作として、動きを伴うタッチ動作を検出することを特徴とする請求項２または３に記載の受付装置。
【請求項５】
前記表示部は矩形状であり、前記光検出部は、当該表示部の一辺に沿って１つ配されることを特徴とする請求項２乃至４の何れか１項に記載の受付装置。
【請求項６】
前記第２の検出領域は、ユーザが操作対象を認識できる識別表示を有することを特徴とする請求項１に記載の受付装置。
【請求項７】
前記光検出部は、前記第２の検出領域において、前記操作対象に対するユーザのタッチの有無を検出することを特徴とする請求項６に記載の受付装置。
【請求項８】
発光部から発した光が被検出体により反射される際に生じる反射光を受光部で受光することで被検出体の位置を検出する光検出部と、
前記光検出部により近い位置に設けられ、当該光検出部により被検出体の位置を、より細かい精度で検出するための第１の検出領域と、
前記光検出部に対し前記第１の検出領域より遠い位置に設けられ、当該光検出部により被検出体の位置を、当該第１の検出領域よりも粗い精度で検出するための第２の検出領域と、
を備える受付装置。
【請求項９】
発光部から発した光が被検出体により反射される際に生じる反射光を受光部で受光することで被検出体の位置を検出する光検出部と、
前記光検出部により近い位置に設けられ、ユーザが操作する操作対象の表示が変更される第１の検出領域と、
前記光検出部に対し前記第１の検出領域より遠い位置に設けられ、前記操作対象の表示が変更されない第２の検出領域と、
を備える受付装置。
【請求項１０】
発光部から発した光が被検出体により反射される際に生じる反射光を受光部で受光することで被検出体の位置を検出する光検出部と、
前記光検出部により近い位置に設けられ、画像を表示するとともに、当該光検出部で検出した検出結果に基づき画像に対するユーザの操作を受け付ける表示部と、
前記光検出部に対し前記表示部より遠い位置に設けられ、ユーザが操作対象を認識できる識別表示を有し、当該光検出部で検出した検出結果に基づきユーザの当該操作対象に対する操作を受け付ける非表示部と、
を備える受付装置。
【請求項１１】
発光部から発した光が被検出体により反射される際に生じる反射光を受光部で受光することで被検出体の位置を検出する光検出部と、
前記光検出部により近い位置に設けられた第１の検出領域では、ユーザがタッチする際の動きを検出し、当該光検出部に対し当該第１の検出領域より遠い位置に設けられた第２の検出領域では、ユーザのタッチの有無を検出する制御を行なう制御部と、
を備える検出装置。
【発明の詳細な説明】
【技術分野】
【０００１】
本発明は、受付装置、検出装置に関する。
【背景技術】
【０００２】
自装置の動作をさせる情報を入力する入力部として、ボタンやスイッチ等の実体を有するキーであるハードウェアキーや、ソフトウェア制御により表示部に表示されるキーであるソフトウェアキーを、ユーザインタフェースに設ける場合がある。
一方、近年は、光学的に被検出体の位置を検出する光検出部を備え、検出された被検出体の位置によりユーザの入力を受け付けるユーザインタフェースが用いられることがある。
【０００３】
特許文献１には、表示面に対する水平方向及び垂直方向に沿って所定の走査領域内でそれぞれ検出ビームを用いて所定の走査精度で走査する走査部（走査手段）を備え、表示面上の遮光物の位置を遮光された検出ビームの走査位置に対応させて検出する座標位置検出装置であり、走査部は、走査精度の異なる複数の走査モードの切り替えを行う駆動制御部と、遮光物の移動速度を検出する移動速度検出部と、を備え、移動速度検出部により検出された遮光物の移動速度に応じて、複数の走査モードの中から所定の走査モードを選択して走査を行うものが開示されている。
【先行技術文献】
【特許文献】
【０００４】
【特許文献１】特開２００７−６５７６７号公報
【発明の概要】
【発明が解決しようとする課題】
【０００５】
しかしながら光検出部から近い箇所に被検出体があるときは、被検出体の位置をより精度よく検出できる一方で、光検出部から遠い箇所に被検出体があるときは、被検出体の位置の精度が低下しやすくなる。その結果、光検出部から遠い箇所で、被検出体の動きの検出がしにくくなる。即ち、例えば、ユーザがユーザインタフェースを操作するときに、光検出部から遠い箇所でドラッグ、スワイプ等の動きを伴うタッチ動作を行なった場合にその検出がしにくくなる。
本発明は、光検出部を使用してユーザの操作を検出する場合において、光検出部から遠い箇所でもユーザの操作の検出結果に起因する問題が生じにくい受付装置等を提供することを目的とする。
【課題を解決するための手段】
【０００６】
請求項１に記載の発明は、発光部から発した光が被検出体により反射される際に生じる反射光を受光部で受光することで被検出体の位置を検出する光検出部と、前記光検出部により近い位置に設けられ、当該光検出部により被検出体の動きを検出するための第１の検出領域と、前記光検出部に対し前記第１の検出領域より遠い位置に設けられ、当該光検出部により被検出体の有無を検出するための第２の検出領域と、を備える受付装置である。
請求項２に記載の発明は、画像を表示する表示部をさらに備え、前記第１の検出領域は、前記表示部の領域を含むことを特徴とする請求項１に記載の受付装置である。
請求項３に記載の発明は、前記光検出部は、前記第１の検出領域において、前記表示部に表示される画像に対するユーザの操作を検出することを特徴とする請求項２に記載の受付装置である。
請求項４に記載の発明は、前記光検出部は、前記第１の検出領域において、前記表示部に対するユーザの操作として、動きを伴うタッチ動作を検出することを特徴とする請求項２または３に記載の受付装置である。
請求項５に記載の発明は、前記表示部は矩形状であり、前記光検出部は、当該表示部の一辺に沿って１つ配されることを特徴とする請求項２乃至４の何れか１項に記載の受付装置である。
請求項６に記載の発明は、前記第２の検出領域は、ユーザが操作対象を認識できる識別表示を有することを特徴とする請求項１に記載の受付装置である。
請求項７に記載の発明は、前記光検出部は、前記第２の検出領域において、前記操作対象に対するユーザのタッチの有無を検出することを特徴とする請求項６に記載の受付装置である。
請求項８に記載の発明は、発光部から発した光が被検出体により反射される際に生じる反射光を受光部で受光することで被検出体の位置を検出する光検出部と、前記光検出部により近い位置に設けられ、当該光検出部により被検出体の位置を、より細かい精度で検出するための第１の検出領域と、前記光検出部に対し前記第１の検出領域より遠い位置に設けられ、当該光検出部により被検出体の位置を、当該第１の検出領域よりも粗い精度で検出するための第２の検出領域と、を備える受付装置である。
請求項９に記載の発明は、発光部から発した光が被検出体により反射される際に生じる反射光を受光部で受光することで被検出体の位置を検出する光検出部と、前記光検出部により近い位置に設けられ、ユーザが操作する操作対象の表示が変更される第１の検出領域と、前記光検出部に対し前記第１の検出領域より遠い位置に設けられ、前記操作対象の表示が変更されない第２の検出領域と、を備える受付装置である。
請求項１０に記載の発明は、発光部から発した光が被検出体により反射される際に生じる反射光を受光部で受光することで被検出体の位置を検出する光検出部と、前記光検出部により近い位置に設けられ、画像を表示するとともに、当該光検出部で検出した検出結果に基づき画像に対するユーザの操作を受け付ける表示部と、前記光検出部に対し前記表示部より遠い位置に設けられ、ユーザが操作対象を認識できる識別表示を有し、当該光検出部で検出した検出結果に基づきユーザの当該操作対象に対する操作を受け付ける非表示部と、を備える受付装置である。
請求項１１に記載の発明は、発光部から発した光が被検出体により反射される際に生じる反射光を受光部で受光することで被検出体の位置を検出する光検出部と、前記光検出部により近い位置に設けられた第１の検出領域では、ユーザがタッチする際の動きを検出し、当該光検出部に対し当該第１の検出領域より遠い位置に設けられた第２の検出領域では、ユーザのタッチの有無を検出する制御を行なう制御部と、を備える検出装置である。
【発明の効果】
【０００７】
請求項１の発明によれば、光検出部を使用してユーザの操作を検出する場合において、光検出部から遠い箇所でもユーザの操作の検出結果に問題が生じにくい受付装置が提供できる。
請求項２の発明によれば、ユーザが表示部に対して行う動作を検出することができる。
請求項３の発明によれば、画像を切り換えることで、入力できる項目が多様になる。
請求項４の発明によれば、タッチとともに動きを伴うユーザの操作であるドラッグ、スワイプ等を検出することができる。
請求項５の発明によれば、より簡易な構成で被検出体の検出ができるようになる。
請求項６の発明によれば、ユーザが操作対象をより容易に認識できるようになる。
請求項７の発明によれば、光検出部から遠い箇所でもユーザの操作を検出しやすくなる。
請求項８の発明によれば、光検出部を使用してユーザの操作を検出する場合において、光検出部から遠い箇所でもユーザの操作の検出結果に問題が生じにくい受付装置が提供できる。
請求項９の発明によれば、光検出部を使用してユーザの操作を検出する場合において、光検出部から遠い箇所でもユーザの操作の検出結果に問題が生じにくい受付装置が提供できる。
請求項１０の発明によれば、光検出部を使用してユーザの操作を検出する場合において、光検出部から遠い箇所でもユーザの操作の検出結果に問題が生じにくい受付装置が提供できる。
請求項１１の発明によれば、光検出部を使用してユーザの操作を検出する場合において、光検出部から遠い箇所でもユーザの操作の検出結果に問題が生じにくい制御を行なうことができる検出装置が提供できる。
【図面の簡単な説明】
【０００８】
【図１】本実施の形態に係る画像形成装置の外観図である。
【図２】本実施の形態に係る画像形成装置の内部構造を示す図である。
【図３】（ａ）は、ユーザインタフェースの一例を示した図である。（ｂ）は、（ａ）に示したユーザインタフェースのＩＩＩｂ−ＩＩＩｂ断面図である。
【図４】光検出部が被検出体を検出する方法について示した図である。
【図５】表示部に対して行なうユーザの操作の具体例を示した図である。
【図６】第２の検出領域に対して行なうユーザの操作の具体例を示した図である。
【図７】制御装置の機能構成例を示したブロック図である。
【図８】制御装置の動作について示したフローチャートである。
【発明を実施するための形態】
【０００９】
以下、添付図面を参照して、実施の形態について詳細に説明する。
【００１０】
＜画像形成装置１の全体構成の説明＞
図１は、本実施の形態に係る画像形成装置１の外観図である。図２は、本実施の形態に係る画像形成装置１の内部構造を示す図である。
画像形成装置１は、原稿の画像を読み取る画像読取装置１００と、記録材（以下、代表して「用紙」と記す場合もある。）上に画像を記録する画像記録装置２００と、を備えている。また画像形成装置１は、ユーザからの操作入力の受付やユーザに対する各種情報の表示を行なうユーザインタフェース（ＵＩ）３００を備えている。さらに画像形成装置１は、画像形成装置１全体の動作を制御する制御装置５００を備える。
【００１１】
画像読取装置１００は、画像形成装置１の上部に配置され、画像記録装置２００は、画像読取装置１００の下側に配置され、制御装置５００を内蔵している。ユーザインタフェース３００は、画像形成装置１の上部の手前側、つまり画像読取装置１００の後述する画像読取部１１０の手前側に配置されている。
【００１２】
画像読取装置１００は、原稿の画像を読み取る画像読取部１１０と、この画像読取部１１０に原稿を搬送する原稿搬送部１２０と、を備えている。原稿搬送部１２０は、画像読取装置１００の上部に配置され、画像読取部１１０は、画像読取装置１００の下部に配置されている。
原稿搬送部１２０は、原稿を収容する原稿収容部１２１と、この原稿収容部１２１から搬送された原稿が排出される原稿排出部１２２とを有し、原稿収容部１２１から原稿排出部１２２へ原稿を搬送する。原稿搬送部１２０は、原稿自動送り装置（ＡＤＦ：Auto Document Feeder）とも呼ばれる。
【００１３】
画像記録装置２００は、用紙Ｐに画像を形成する画像形成部２０と、画像形成部２０に対して用紙Ｐを供給する用紙供給部６０と、画像形成部２０にて画像が形成された用紙Ｐを排出する用紙排出部７０と、画像形成部２０にて一方の面に画像が形成された用紙Ｐの表裏を反転させて再度画像形成部２０に向けて搬送する反転搬送部８０と、を備えている。
【００１４】
また、画像記録装置２００は、画像形成部２０、用紙供給部６０、用紙排出部７０、反転搬送部８０および制御装置５００を、直接的または間接的に支持する装置本体フレーム１１と、この装置本体フレーム１１に取り付けられて画像形成装置１の外面を形成する装置筐体１２と、を備えている。
装置本体フレーム１１は、画像形成装置１における横方向の一方の端部側で、内部に、切替ゲート７６、第１の排出ロール７７、搬送ロール７８および第２の排出ロール７９などを備えるとともに上下方向に伸びて、画像読取装置１００を支持する読取装置支持部１３を備えている。読取装置支持部１３は、装置本体フレーム１１における奥側の部位と協働して画像読取装置１００を支持する。
【００１５】
また、画像記録装置２００は、装置筐体１２の一部として、画像形成部２０の手前側に設けられるとともに、装置本体フレーム１１に対して開閉可能に装着されるフロントカバー１５を備えている。
ユーザは、フロントカバー１５を開くことで、画像形成部２０の中間転写ユニット３０やトナーカートリッジ２９Ｙ、２９Ｍ、２９Ｃ、２９Ｋを新しい物と取り替えることが可能となっている。
【００１６】
ユーザインタフェース３００は、自装置（画像形成装置１）に対するユーザの指示を受け付ける受付部（受付装置）の一例であり、詳しくは後述するが、光検出部や表示部を備える。そして表示部に表示される画面によりユーザに対し種々の情報を提供するとともに、表示部上をユーザが操作すると、その操作を光検出部が検出する。また表示部外においても、ホームボタン等の操作対象が設けられ、その操作対象をユーザが操作すると、同様にその操作を光検出部が検出する。その結果、画像形成装置１に対しユーザが指示を入力することができる。
【００１７】
＜画像形成装置１の動作の説明＞
以上のように構成された画像形成装置１は、以下のように動作する。
例えば、ユーザは、画像形成装置１を使用して原稿のコピーを行なうことができる。即ち、画像読取装置１００によって読み取られた原稿の画像データを基に、画像記録装置２００により画像を用紙Ｐ上に形成することで原稿をコピーすることができる。またユーザは、通信回線に接続する図示しないパーソナルコンピュータ（ＰＣ）等から印刷のジョブを画像形成装置１に送信することでプリントを行なうことができる。即ち、通信回線を介して印刷のジョブを受信し、印刷のジョブに含まれる画像データを基に、画像記録装置２００により画像を用紙Ｐ上に形成することでプリントすることができる。さらにユーザは、ファクシミリの送受信を行なうことができる。即ち、画像読取装置１００によって読み取られた原稿の画像データを通信回線を介して送信できる。あるいはユーザは、原稿の画像データを保存することができる。即ち、原稿の画像データを画像形成装置１内部や通信回線に接続したＰＣに保存できる。
【００１８】
＜ユーザインタフェース３００の説明＞
図３（ａ）は、ユーザインタフェース３００の一例を示した図である。また図３（ｂ）は、図３（ａ）に示したユーザインタフェース３００のＩＩＩｂ−ＩＩＩｂ断面図である。
図３（ａ）で図示するように、ユーザインタフェース３００は、光学的に被検出体を検出する光検出部３１０と、画像を表示する表示部３２０とを備える。
【００１９】
光検出部３１０は、例えば、光学センシングバーとも言われ、被検出体の位置を検出する。ユーザがユーザインタフェース３００を操作しようとするときに、例えば、指によりタッチして操作するときは、光検出部３１０は、この指を被検出体として検出する。また光検出部３１０は、ユーザの指以外のものでもユーザインタフェース３００に対しタッチするものであれば、検出することができる。よって被検出体は、例えば、タッチペンなどであってもよい。
【００２０】
図４は、光検出部３１０が被検出体Ｔを検出する方法について示した図である。
図示するように光検出部３１０は、光を発する発光部３１１と、光を受光する受光部３１２とを備える。
発光部３１１は、ＬＥＤ（Light Emitting Diode）等を備え、赤外線等の光を出射する。
受光部３１２は、ＰＤ（Photodiode）等を備え、被検出体Ｔから反射された反射光を受光する。そしてこの反射光に応じた検出信号を出力する。
図示するように、発光部３１１と受光部３１２とは、交互に、かつ直線状に配列する。
【００２１】
この構成において、光検出部３１０は、発光部３１１から発した光が被検出体Ｔにより反射される際に生じる反射光を受光部３１２で受光することで被検出体Ｔの位置を検出することができる。なおこれは、光検出部３１０は、被検出体Ｔの縦横方向の位置である２次元的な位置を検出することができると言うこともできる。つまり被検出体Ｔの図中横方向の位置は、反射光を何れの受光部３１２で検出したかどうかによりわかる。また被検出体Ｔの図中縦方向の位置は、受光部３１２が受光する光の強度によりわかる。即ち、被検出体Ｔが光検出部３１０からより近いほど、受光部３１２で受光する光の強度はより大きくなる。一方、被検出体Ｔが光検出部３１０からより遠いほど、受光部３１２で受光する光の強度はより小さくなる。よって受光部３１２が受光する光の強度により、光検出部３１０と被検出体Ｔとの距離がわかるため、これから被検出体Ｔの図中縦方向の位置がわかる。さらに光検出部３１０は、被検出体Ｔが複数あってもそれぞれの被検出体Ｔを検出することができる。これによりいわゆるマルチタッチの検出を行なうことができる。
【００２２】
また図３（ｂ）に示すように、光検出部３１０は、ユーザインタフェース３００の表示部３２０が設けられる面に対し、突出する突起部３１０ａを有する。この突起部３１０ａには、図４に示した発光部３１１および受光部３１２が配される。発光部３１１から発した光のうちユーザインタフェース３００の表示部３２０が設けられる面に沿って進行するものが、被検出体Ｔに当たると反射されて反射光となる。そして被検出体Ｔからの反射光のうち表示部３２０が設けられる面に沿って進行するものは、受光部３１２により受光される。
【００２３】
表示部３２０は、例えば、液晶パネルであり、画像形成装置１に関する情報を画像として表示する。図示するように、表示部３２０は矩形状であり、光検出部３１０は、表示部３２０の一辺に沿って１つ配される。ここでは、光検出部３１０は、表示部３２０の上辺に沿って配される。
【００２４】
本実施の形態では、光検出部３１０で被検出体を検出する検出領域Ｒとして、第１の検出領域Ｒ１と、第２の検出領域Ｒ２とを設けている。そして、光検出部３１０が被検出体を検出する検出領域Ｒは、少なくともこの第１の検出領域Ｒ１と第２の検出領域Ｒ２とを足し合わせた領域を含む領域である。
【００２５】
このように、本実施の形態において光検出部３１０は、表示部３２０の周囲における一辺に沿って配されながら、第１の検出領域Ｒ１と第２の検出領域Ｒ２とを含む検出領域Ｒ全体において二次元的な位置情報を検出することができる。すなわち、光検出部３１０は、検出領域Ｒの外側で一次元的に配されながら、検出領域Ｒにおける二次元的な位置情報を検出することができるものと捉えることができる。
【００２６】
第１の検出領域Ｒ１は、光検出部３１０により近い位置に設けられ、光検出部３１０により被検出体Ｔの動きを検出するための領域である。
ここで第１の検出領域Ｒ１は、図示するように表示部３２０の領域を含む。よって光検出部３１０は、第１の検出領域Ｒ１において、表示部３２０に表示される画像に対するユーザの操作を検出することができる。
【００２７】
そしてこの場合、光検出部３１０は、表示部３２０上における被検出体Ｔの動きを検出することができるため、第１の検出領域Ｒ１において、表示部３２０に対するユーザの操作として、動きを伴うタッチ動作を検出することができる。ここで動きを伴うタッチ動作とは、具体的には、一定時間に亘ってユーザにより行われる、表示部３２０上で指やペンなどの被検出体Ｔを動かす動作のことを指し、被検出体Ｔを表示部３２０に接触させた状態のまま（或いは接触させたり離したりを繰り返しながら）その接触位置を変化させる動作が含まれる。例としては、ユーザが表示部３２０上で行なうフリック、スワイプ、ドラッグ、スクロール、ピンチイン、ピンチアウト等の操作が挙げられる。そして光検出部３１０は、一定時間に亘る被検出体Ｔの検出有無およびその検出位置を一定時間内で連続的に検出することによって、動きを伴うタッチ動作を検出することが出来る。即ち、光検出部３１０がある特定のタイミングにおいて表示部３２０における特定の位置で被検出体を検出した場合は、ユーザの表示部３２０に対する操作として、表示部３２０中の特定の位置をユーザがタップしたと判断される。また一定時間に亘って被検出体Ｔが表示部３２０において連続的に位置を変えながら検出した場合には、ユーザが表示部３２０に対する操作として、表示部３２０においてドラッグ、スワイプ等の動きを伴うタッチ動作を行なったと判断される。
【００２８】
図５は、表示部３２０に対して行なうユーザの操作の具体例を示した図である。
ここでは、表示部３２０には、画像形成装置１が備える機能を実行するためのアイコンＩの一覧が画像として表示されている。この画像は、いわゆるホーム画面である。またこのとき表示されているアイコンＩは、予め定められた処理に関連付けられており、選択されることでこの処理が実行される。
【００２９】
図示する例では、表示部３２０には、コピー、ファクス／インターネットファクス、スキャナ（メール送信）、ジョブフロー、どこでもプリント、らくらくファクス、スキャナ（ＰＣ保存）、スキャナ（ボックス保存）、メールのそれぞれの機能を表すアイコンＩが表示されている。
【００３０】
そしてユーザは、目的の機能を利用するためには、何れかのアイコンＩをタップする操作を行なう。ユーザがアイコンＩをタップすると、例えば、アイコンＩに関連付けられた機能に対応する設定画面が表示される。例えば、「コピー」のアイコンＩをタップすると、原稿のコピーを行なうための設定画面として、コピーを行なう枚数、使用する用紙の選択、白黒／カラーの選択、拡大／縮小の設定を行なう画面が表示される。そして設定後、ユーザが、後述するスタートボタンを押下すると、実際のコピー動作が開始される。
【００３１】
またユーザが何れかのアイコンＩをドラッグする操作を行なうと、そのアイコンＩを移動する操作となる。例えば、ユーザが、「らくらくファクス」のアイコンＩを点線で図示した箇所に移動したいときは、このアイコンＩをドラッグすればよい。
【００３２】
また表示部３２０には、画面を縦方向にスクロールさせるためのスクロールバーＳ１と、画面を横方向にスクロールさせるためのスクロールバーＳ２とが表示されている。
この場合、ユーザがスクロールバーＳ１やスクロールバーＳ２に備えられた▲マークをタップすると、▲マークが示す方向に画面をスクロールさせることができる。またユーザがスクロールバーＳ１に備えられたスクロールボタンＢ１やスクロールバーＳ２に備えられたスクロールボタンＢ２をドラッグすることで移動させると、移動させた方向に画面をスクロールさせることができる。画面をスクロールさせることで、一画面で表示しきれない画面を表示させることができる。
【００３３】
以上の通り、第１の検出領域Ｒ１は、光検出部３１０により被検出体Ｔの動きを検出するための領域である。なお、ここで被検出体Ｔの動きを検出するための領域とは、当該領域において受け付けたユーザによる操作に基づいて表示部３２０を含む画像形成装置１の各種動作制御を行う場合において、予め定められた動作制御を行うための指示操作として、被検出体Ｔの動きを検出することが必須である領域のことをいう。言い換えれば、被検出体Ｔの検出有無さえ分かれば予め定めた動作制御を全て行なうことができるような領域は、ここでいう被検出体Ｔの動きを検出するための領域には該当しない。
【００３４】
一方、第２の検出領域Ｒ２は、光検出部３１０に対し第１の検出領域Ｒ１より遠い位置に設けられ、光検出部３１０により被検出体の有無を検出するための領域である。
【００３５】
すなわち光検出部３１０は、第２の検出領域Ｒ２において、操作対象に対するユーザの動きを伴わないタッチ動作を検出する。ここで動きを伴わないタッチ動作とは、具体的には、ユーザにより行われる、第２の検出領域Ｒ２に対して指やペンなどの被検出体Ｔを接触させる動作のことを指し、ある特定のタイミングにおいて被検出体Ｔを第２の検出領域Ｒ２における操作対象箇所に１回又は複数回接触させる動作や、一定時間に亘って被検出体Ｔを操作対象箇所に対して接触させた状態を維持する動作などが含まれる。例としては、ユーザが第２の検出領域Ｒ２上で行なうタップ、ダブルタップ、ロングタップ（長押し）などの操作が挙げられる。そして光検出部３１０は、例えばある特定のタイミングにおける被検出体Ｔの検出有無およびその位置を検出することによって、ある特定箇所における動きを伴わないタッチ動作を検出することができる。なお、光検出部３１０は、第２の検出領域Ｒ２において、ドラッグ、スワイプ等の動きを伴うタッチ動作を検出する必要がない。
【００３６】
ここで操作対象は、例えば、第２の検出領域Ｒ２に設けられたボタンである。ただしこのボタンには、ボタンを押下することで、ＯＮ／ＯＦＦを行なう電気的なスイッチとしての機能はない。光検出部３１０が第２の検出領域Ｒ２において、被検出体を検出した場合、検出した位置にあるボタンにユーザがタップしたと判断される。
【００３７】
図６は、第２の検出領域Ｒ２に対して行なうユーザの操作の具体例を示した図である。
図示する例では、第２の検出領域Ｒ２には、３つのボタンが配置されている。これらのボタンは、左側からスタートボタン、ホームボタン、電源ボタンである。スタートボタンは、画像形成装置１の動作を開始するためのボタンである。またホームボタンは、表示部３２０の画面をホーム画面に遷移させるためのボタンである。そして電源ボタンは、画像形成装置１の電源をＯＮ／ＯＦＦさせるためのボタンである。ここでは、３つのボタンのうちユーザがホームボタンをタップした場合を示している。
【００３８】
また本実施の形態では、このボタンの位置、またはこのボタンに隣接する位置にユーザが操作対象であるボタンを認識できる識別表示を固定的に有する。ここでは、識別表示として、ボタンの範囲を示す枠が印刷されている。また識別表示として、この枠内にボタンの機能を表すマーク（印）が印刷されている。さらに識別表示として、この枠の下にボタンの機能を示す文字が印刷されている。図示する例では、左側からスタートボタン、ホームボタン、電源ボタンであることを意味する枠、マークおよび文字が印刷されている。
【００３９】
なおこれらのボタンをタップしたと判断する領域は、図示する枠内としてもよいが、この枠内を含む領域としてもよい。即ち、この枠からはみ出す予め定められた範囲についてもこれらのボタンをタップしたと判断するようにする。図６では、スタートボタンがタップされたと判断される領域として、領域Ｒ２Ｓを図示している。またホームボタンがタップされたと判断される領域として、領域Ｒ２Ｈを図示し、電源ボタンがタップされたと判断される領域として、領域Ｒ２Ｄを図示している。
【００４０】
なおこの識別表示は、印刷であることに限られるものではない。例えば、このボタンの一部を光透過できるようにし、下側からＬＥＤ等を発光させることで、マーク等を光らせるようにしてもよい。また表示部３２０の下辺側にこのボタンの機能を表示するようにしてもよい。さらに上部からマーク等を投影するような方法でもよい。
【００４１】
以上の通り、第２の検出領域Ｒ２は、光検出部３１０により被検出体Ｔの有無を検出するための領域である。すなわち、第２の検出領域Ｒ２は、光検出部３１０によって必ずしも被検出体の動きを検出する必要のない領域と言うことができる。なお、ここで被検出体Ｔの有無を検出するための領域（被検出体の動きを検出する必要がない領域）とは、当該領域において受け付けたユーザによる操作に基づいて表示部３２０を含む画像形成装置の各種動作制御を行う場合において、予め定められた動作制御を行うための指示操作として、被検出体Ｔの検出有無を検出することは必須であるものの、必ずしも被検出体Ｔの動きを検出する必要のない領域のことをいう。言い換えれば、検出領域上の被検出体Ｔの動きが分からなければ予め定めた動作制御の一部を行うことができないような領域は、ここで言う被検出体Ｔの有無を検出するための領域には該当しない。
【００４２】
＜制御装置５００の説明＞
図７は、制御装置５００の機能構成例を示したブロック図である。なお図７では、制御装置５００が有する種々の機能のうち本実施の形態に関係するものを選択して図示している。
制御装置５００は、ユーザインタフェース３００を含む画像形成装置１の動作を制御する制御部の一例である。
図示するように本実施の形態の制御装置５００は、検出信号取得部５１０と、位置検出部５２０と、領域判断部５３０と、操作判断部５４０と、動作制御部５５０とを備える。
【００４３】
検出信号取得部５１０は、光検出部３１０から検出信号を取得する。この検出信号には、被検出体からの反射光を受光した受光部３１２の位置や、受光部３１２が受光した光の強度の情報が含まれる。
【００４４】
位置検出部５２０は、検出信号取得部５１０が取得した検出信号を基に、被検出体の位置を求める。これは図４で説明したように、何れの受光部３１２で検出したかの情報と、受光部３１２が受光する光の強度により求めることができる。
【００４５】
領域判断部５３０は、位置検出部５２０が求めた位置を基に、被検出体の位置が第１の検出領域Ｒ１内であるか、第２の検出領域Ｒ２内であるか否かを判断する。
【００４６】
操作判断部５４０は、位置検出部５２０が求めた位置を基に、ユーザの操作を判断する。即ち、操作判断部５４０は、上述したように、位置検出部５２０が求めた位置により、ユーザの操作として、例えば、タップ、ドラッグ、スワイプなどが行われたか否かを判断する。上述したように、このとき操作判断部５４０は、光検出部３１０により近い位置に設けられた第１の検出領域Ｒ１では、ユーザのタッチの有無、即ち動きを伴わないタッチ動作のみならず、ユーザがタッチする際の動き、即ち動きを伴うタッチ動作を検出する制御を行なう。対して、操作判断部５４０は、光検出部３１０に対し第１の検出領域Ｒ１より遠い位置に設けられた第２の検出領域Ｒ２では、ユーザのタッチの有無、即ち動きを伴わないタッチ動作を検出する制御を行なう。そしてユーザがタッチする際の動き、即ち動きを伴うタッチ動作を検出する制御は行なわない。
【００４７】
動作制御部５５０は、位置検出部５２０が判断した被検出体の位置および操作判断部５４０で判断されたユーザの操作に基づき制御信号を出力し、画像形成装置１の動作を制御する。例えば、第１の検出領域Ｒ１内の表示部３２０において、ユーザが、「コピー」のアイコンＩをタップしたと判断された場合、コピーの設定を行なう画面が表示される。そしてさらに第２の検出領域Ｒ２内において、ユーザがスタートボタンをタップしたと判断された場合、実際のコピー動作が開始される。また例えば、第２の検出領域Ｒ２内において、ユーザがホームボタンをタップしたと判断された場合、表示部３２０の画面をホーム画面に遷移させる。
【００４８】
図８は、制御装置５００の動作について示したフローチャートである。
【００４９】
まず検出信号取得部５１０が、光検出部３１０から検出信号を取得する（ステップ１０１）。
次に位置検出部５２０が、この検出信号を基に、被検出体の位置を求める（ステップ１０２）。
【００５０】
さらに領域判断部５３０は、位置検出部５２０が求めた位置を基に、被検出体の位置が第１の検出領域Ｒ１内であるか否かを判断する（ステップ１０３）。
その結果、被検出体の位置が第１の検出領域Ｒ１内であった場合（ステップ１０３でＹｅｓ）、操作判断部５４０が、タップ、ドラッグ、スワイプなど動きを伴うタッチ動作による操作を含めてユーザがどのような操作を行なったかを判断する（ステップ１０４）。
対して被検出体の位置が第１の検出領域Ｒ１内でなく、第２の検出領域Ｒ２内であった場合（ステップ１０３でＮｏ）、操作判断部５４０は、動きを伴わないタッチ動作の検出に基づきタッチの有無を判断し、ドラッグ、スワイプ等の動きを伴うタッチ動作による操作は判断に含めない（ステップ１０５）。
【００５１】
そして動作制御部５５０が、位置検出部５２０が判断した被検出体の位置および操作判断部５４０で判断されたユーザの操作に基づき、ユーザの入力した指示を判断する（ステップ１０６）。
さらに動作制御部５５０は、ユーザの入力した指示に従い、画像形成装置１の動作を制御する（ステップ１０７）。
【００５２】
第１の検出領域Ｒ１は、光検出部３１０からより近い位置に設けられるため、検出される被検出体の位置精度は、より高い。そのため本実施の形態では、この領域を位置精度が求められる被検出体の動きを検出するために使用する。対して第２の検出領域Ｒ２は、光検出部３１０からより遠い位置に設けられるため、検出される被検出体の位置精度は、より低い。そのため本実施の形態では、この領域を位置精度が求められない被検出体の有無を検出するために使用する。その結果、光検出部３１０を使用してユーザの操作を検出する場合において、光検出部３１０から遠い箇所でもユーザの操作の検出結果に問題が生じにくくなる。
【００５３】
また第１の検出領域Ｒ１では、検出される被検出体の位置精度は、より高いため、光検出部３１０により被検出体の位置を、より細かい精度で検出することができる。つまり被検出体の位置の変化を把握しやすいため、ユーザが行うドラッグ、スワイプ等の動きを伴うタッチ動作の検出を行なうのにより適した領域であると言うことができる。よって第１の検出領域Ｒ１は、光検出部３１０により近い位置に設けられ、光検出部３１０により被検出体の位置を、より細かい精度で検出するための領域であると捉えることができる。
一方、第２の検出領域Ｒ２では、検出される被検出体の位置精度は、光検出部３１０からより遠いため、第１の検出領域Ｒ１に比較してより低くならざるを得ない。そのため光検出部３１０により検出される被検出体の位置の精度は、より粗い精度とならざるを得ない。つまり被検出体の位置の変化を把握しにくいため、ユーザが行うドラッグ、スワイプ等の動きを伴うタッチ動作の検出を行なうよりも、タッチの有無を検出するのにより適した領域であると言うことができる。よって第２の検出領域Ｒ２は、光検出部３１０に対し第１の検出領域Ｒ１より遠い位置に設けられ、光検出部３１０により被検出体の位置を、第１の検出領域Ｒ１よりも粗い精度で検出するための領域であると捉えることができる。
【００５４】
さらに第１の検出領域Ｒ１には、表示部３２０が設けられ、これに表示される画面に対してユーザが操作を行なう。そしてこの画面は、変化する。変化する画面の中の何れの箇所に対しユーザが操作しているのかを検出するには、より高い位置精度で被検出体の位置を検出する必要がある。よって操作対象の表示が変更される領域は、光検出部３１０により近い位置に設けられる必要があり、これを第１の検出領域Ｒ１とする。よって第１の検出領域Ｒ１は、光検出部３１０により近い位置に設けられ、ユーザが操作する操作対象の表示が変更される領域であると捉えることができる。
また第２の検出領域Ｒ２には、マーク等の識別表示が設けられ、操作対象であるボタンに対してユーザが操作を行なう。そしてこのボタンの表示は、固定であり変化しない。操作対象が固定である場合、ユーザが操作しているのかを検出するには、あまり高い位置精度は必要としない。よって操作対象の表示が変更されない領域は、光検出部３１０により遠い位置でもよい。よって第２の検出領域Ｒ２は、光検出部３１０に対し第１の検出領域Ｒ１より遠い位置に設けられ、操作対象の表示が変更されない領域であると捉えることができる。
【００５５】
また第１の検出領域Ｒ１には、画像を表示する表示部３２０が設けられ、画像に対するユーザの操作を受け付ける。そして第２の検出領域Ｒ２には、ボタンの表示等の固定であり変化しない識別表示が設けられるが、画像を表示する表示部は設けられない非表示部である。よってこの観点から、表示部３２０は、光検出部３１０により近い位置に設けられ、画像を表示するとともに、光検出部３１０で検出した検出結果に基づき画像に対するユーザの操作を受け付ける領域であると捉えることができる。また第２の検出領域Ｒ２は、光検出部３１０に対し表示部３２０より遠い位置に設けられ、ユーザが操作対象を認識できる識別表示を固定的に有し、光検出部３１０で検出した検出結果に基づきユーザの操作対象に対する操作を受け付ける非表示部であると捉えることができる。
【００５６】
なお上述した例では、画像形成装置１を例に取り説明を行なったが、これに限られるものではなく、光検出部３１０を使用して被検出体の検出を行なう装置であれば、適用が可能である。
【００５７】
また上述した例では、画像形成装置１は、光検出部３１０と制御装置５００とを備える検出装置として捉えることができるが、制御装置５００の機能を光検出部３１０やユーザインタフェース３００に内蔵させてもよい。この場合、光検出部３１０やユーザインタフェース３００が検出装置となる。
【符号の説明】
【００５８】
１…画像形成装置、２０…画像形成部、１００…画像読取装置、２００…画像記録装置、３００…ユーザインタフェース、３１０…光検出部、３２０…表示部、５００…制御装置、５１０…検出信号取得部、５２０…位置検出部、５３０…領域判断部、５４０…操作判断部、５５０…動作制御部、Ｒ１…第１の検出領域、Ｒ２…第２の検出領域
【図１】
2018180709.tif 000003
【図２】
2018180709.tif 000004
【図３】
2018180709.tif 000005
【図４】
2018180709.tif 000006
【図５】
2018180709.tif 000007
【図６】
2018180709.tif 000008
【図７】
2018180709.tif 000009
【図８】
2018180709.tif 000010